(57)【特許請求の範囲】
【請求項１】
アンカー部を有する部品と該アンカー部に取り付けるための固定部材とを備えるアセンブリを形成する方法であって、
金属マトリックス複合補強部材を設け、それによって該金属マトリックス複合補強部材は、管部材を備え、該管部材は該管部材を少なくとも部分的に貫通して形成された管部材ボアを有し；
鋳造操作を実行して該部品の鋳造部を形成することを含み、該アンカー部は、該鋳造部及び該鋳造部によって保持される該金属マトリックス複合補強部材の少なくとも一部を備え、管部材ボアの少なくとも一部は鋳造材料で被覆され、該補強部材は該部品の該鋳造部の一部によって取り囲まれ、
該アンカー部はアンカー部ボアを有し、該補強部材は、該アンカー部ボアの長手方向軸と平行な又は一致する長手方向軸を有し；
該管部材ボアに該固定部材を挿入し；及び
該固定部材によって該アンカー部に圧縮荷重を加え、該圧縮荷重の少なくとも分力が該管部材ボアの軸に対して平行であること
を含む方法。
【請求項２】
前記管部材ボアが前記アンカー部ボアと同軸である、請求項１に記載の方法。
【請求項３】
前記管部材ボアが前記管部材に完全に貫通形成され、前記アンカー部ボアが前記アンカー部に完全に貫通形成される、請求項１又は２に記載の方法。
【請求項４】
前記鋳造部の形成が軸受ハウジングを鋳造することを含み、これにより、該軸受ハウジングの少なくとも一部が管部材内に設けられる、請求項１〜３のいずれかに記載の方法。
【請求項５】
前記アンカー部ボア内に軸受アセンブリを設けることを含む、請求項１〜３のいずれかに記載の方法。
【請求項６】
前記固定部材がボルト部材を備え、該ボルト部材に取り付けられたナットによって少なくとも部分的に前記アンカー部に圧縮荷重を加えることを含む、請求項１〜５のいずれかに記載の方法。
【請求項７】
前記補強部材の金属マトリックス複合材料がアルミニウムマトリックス複合材料を含み、任意に、アルミニウムを含む溶融材料から前記鋳造部を形成させることを含む、請求項１〜６のいずれかに記載の方法。
【請求項８】
アンカー部を有する部品と該アンカー部に取り付けるための固定部材とを備えるアセンブリであって、
鋳造部を備え、該アンカー部は該鋳造部及び該鋳造部によって保持される少なくとも１個の金属マトリックス複合補強部材の少なくとも一部を備え、
該アンカー部はアンカー部ボアを有し、該補強部材は、該アンカー部ボアの長手方向軸と平行な又は一致する長手方向軸を有し、
該金属マトリックス複合補強部材は管部材を備え、該管部材は該管部材を少なくとも部分的に貫通して形成された管部材ボアを有し、該補強部材は該部品の該鋳造部の一部によって取り囲まれ、管部材ボアの少なくとも一部は鋳造材料で被覆されており、該固定部材は、該管部材ボアを通り、かつ、該アンカー部に圧縮荷重を加えるように構成されるアセンブリ。
【請求項９】
前記管部材ボアが前記管部材を完全に貫通している、請求項８に記載のアセンブリ。
【請求項１０】
軸受アセンブリと組み合わせて設けられており、該軸受アセンブリが前記アンカー部ボアに設けられている、請求項８又は９に記載のアセンブリ。
【請求項１１】
前記補強部材の金属マトリックス複合材料がアルミニウムマトリックス複合材料を含み、任意に、前記鋳造部がアルミニウムを含む、請求項８〜１０のいずれかに記載のアセンブリ。
【発明の詳細な説明】
【技術分野】
【０００１】
本発明は、鋳造操作及び部品を鋳造する方法に関する。
【背景技術】
【０００２】
背景
金型に溶融アルミニウムを注型することにより鋳造アルミニウム部品を得ることが知られている。アルミニウム及びアルミニウム合金、マグネシウム又はマグネシウム合金などの他の比較的軽質の金属を、部品の重量を低減させるためにスチールなどの重質材料の代わりに使用することができる。これは、製品の重量を制御するために自動車などの多部品製品の製造業者を支援する。しかし、アルミニウムは比較的低いヤング率（７０ＧＰａ程度）を有する。これは、アルミニウムの強度特性がスチールよりも低いことになる。したがって、軽質ではあるが剛性の部品をアルミニウムから形成する必要がある場合には、典型的にはスチールなどの剛性の高い材料（２０７ＧＰａ程度のヤング率を有する）から作製された部品に要求されるよりも多くの材料を使用することが必要になる。必要な追加材料は、通常、部品の断面二次モーメントを増大させるように配置される。したがって、部品の形状は、部品の剛性、例えば曲げ剛性及び／又はねじり剛性を高めるように調節される。いくつかの用途では、部品が適合しなければならない利用可能なスペースが制限され、スチールなどの剛性の高い材料を、必要な部品剛性仕様を満たすために使用することが必要となる場合がある。しかしながら、スチールの使用は、部品の重量増加をもたらすため、いくつかの用途では極めて望ましくない。
【０００３】
応力に特に影響を受けやすい場合がある鋳造部品の一部は、別の部品がそれに結合するのを可能にするアンカー部である。このアンカー部は、シャフトが部品に回転自在に結合できる軸受ハウジング、又は別の部品がそれに結合するためのボルトなどの固定部材を保持することができる。
【発明の概要】
【課題を解決するための手段】
【０００４】
発明の概略
本発明の実施形態は、添付の特許請求の範囲を参照して理解できる。
【０００５】
本発明の態様は、方法、部品、システム、車両、航空機及び船舶を提供する。
【０００６】
保護を求める本発明の一態様では、追加部品を取り付けるためのアンカー部を有する部品を形成する方法が提供され、この方法は、鋳造操作を実行して該部品の鋳造部を形成することを含み、該アンカー部は、該鋳造部及び該鋳造部によって保持される少なくとも１個の金属マトリックス複合補強部材の少なくとも一部を備え、該アンカー部はボアを有し、該補強部材は、少なくともその部品を該ボアの長手方向軸に略平行にする又はそれに一致させる長手方向軸を有し、該アンカー部は、第２部品をそのボアに挿入して該第２部品を該アンカー部に取り付けるのを可能にするように配置される。
【０００７】
本発明の実施形態は、部品のアンカー部にボルトなどの固定部材を取り付けることに関連する軸方向応力が補強部材によって少なくとも部分的に分担できるという利点を有する。
【０００８】
本発明のいくつかの実施形態は、部品の損傷が発生する前にボルト限界荷重などの固定部材に関連するより大きな限界荷重に耐えることができるアンカー部を有する部品を得ることができるという利点を有する。
【０００９】
本発明のいくつかの実施形態は、より大きなバースト負荷やフープ応力に耐えることができるアンカー部を有する部品を得ることができるという利点を有する。
【００１０】
アンカー部は、複数の補強部材、例えば、該アンカー部のボアの周囲に円周方向に配置された細長部材を備えることができる。これらの補強部材は互いに略平行に設けることができる。あるいは、補強部材は非平行であってもよい。
【００１１】
部品は実質的に完全に注型でき、補強部材は少なくともアンカー部の補強を与えると解すべきである。補強部材は、繊維材料、任意に織布繊維材料の補強封入材料の周りにマトリックス材料をキャストすることによって部分的に形成されてもよい。
【００１２】
補強部材は、部品の鋳造部の一部によって実質的に取り囲まれるように形成できる。
【００１３】
この方法は、金属マトリックス複合補強部材を細長部材、任意に細長ロッド部材の形で設けることを含むことができる。
【００１４】
有利には、この方法は、補強部材を設けることを含むことができ、それによって、該補強部材は、少なくとも部分的に貫通して形成されたボアを有する管部材を備える。
【００１５】
この管部材は略円筒形とすることができる。
【００１６】
この方法は、補強部材を設けることを含むことができ、それによって、該補強部材のボアは、アンカー部のボアと略同軸である。
【００１７】
この方法は、管部材を実質的に完全に貫通形成されたボアを有するように形成することを含むことができ、該アンカー部は、実質的に完全に貫通する対応するボアを有する。
【００１８】
鋳造部は、管部材のボアの少なくとも一部が鋳造材料で被覆されるように鋳造できる。
【００１９】
鋳造部は、補強部材が鋳造部内に実質的に完全に埋設され、それによって管部材のボアが該鋳造部の鋳造材料で実質的に完全に被覆されるように鋳造できる。
【００２０】
有利には、鋳造部を形成することが、軸受ハウジングを鋳造することを含むことができ、これにより、該軸受ハウジングの少なくとも一部が管部材内に設けられる。
【００２１】
この方法は、軸受ハウジング内に軸受アセンブリを設けることを含むことができる。
【００２２】
鋳造部は、管部材のボアが鋳造材料を実質的に含まないように鋳造できる。
【００２３】
この方法は、アンカー部のボア内に軸受アセンブリを設けることを含むことができる。
【００２４】
軸受アセンブリを設けることは、軸受レースを設けることを含むことができる。
【００２５】
この方法は、軸受アセンブリによって回転自在に支持される回転軸部材を設けることを含むことができる。
【００２６】
アンカー部は、固定部材用のアンカーを与えるように構成でき、この方法は、管部材のボアを介して固定部材を挿入することを含む。
【００２７】
この方法は、固定部材によってアンカー部に圧縮荷重を加えることを含むことができ、該圧縮荷重は、少なくともその部品を管部材のボアの軸に対して平行にする。
【００２８】
圧縮荷重は、固定部材を部品に固定するように構成できる。
【００２９】
固定部材は、ボルト部材を含むことができる。
【００３０】
この方法は、ボルト部材に取り付けられたナットによって少なくとも部分的にアンカー部に圧縮荷重を加えることを含むことができる。
【００３１】
補強部材の金属マトリックス複合材料は、アルミニウムマトリックス複合材料を含むことができる。
【００３２】
この方法は、アルミニウムを含む溶融材料から鋳造部を形成することを含むことができる。
【００３３】
溶融材料は、アルミニウム及びアルミニウム合金から選択されたものとすることができる。
【００３４】
この方法は、金型内に補強部材を配置し；そして該金型に溶融金属を導入して部品の少なくとも一部を成形することを含むことができる。
【００３５】
この方法は、自動車又は航空宇宙部品である部品を形成することを含むことができる。
【００３６】
この方法は、サスペンションシステムの部品である部品を形成することを含むことができる。
【００３７】
本発明のさらなる態様では、追加部品を取り付けるためのアンカー部を有する部品が提供され、該部品は、
鋳造部を備え、該アンカー部は、該鋳造部及び該鋳造部によって保持される少なくとも１個の金属マトリックス複合補強部材の少なくとも一部を備え、
該アンカー部はボアを有し、該補強部材は、少なくともその部品を該ボアの長手方向軸に対して略平行にし又は一致させる長手方向軸を有し、該アンカー部は、第２部品をそのボアに挿入して該第２部品を該アンカー部に取り付けることを可能にするように配置される。
【００３８】
補強部材は、部品の鋳造部の一部によって実質的に取り囲まれていてもよい。
【００３９】
補強部材は、実質的に細長部材の形態、任意に、実質的に細長ロッド部材の形であることができる。
【００４０】
有利には、補強部材は、少なくとも部分的に貫通して形成されたボアを有する管部材を備える。
【００４１】
管部材のボアは、管部材を実質的に完全に貫通することができる。
【００４２】
部品は、軸受アセンブリと組み合わせて設けることができ、該軸受アセンブリは、アンカー部に設けられる。
【００４３】
さらに又は代わりに、部品は、固定部材と組み合わせて設けることができ、該固定部材はアンカー部のボアに通されている。
【００４４】
固定部材は、アンカー部に圧縮荷重を加えるように構成できる。
【００４５】
固定部材は、圧縮荷重により固定部材に固定されるように配置できる。
【００４６】
有利には、補強部材の金属マトリックス複合材料は、アルミニウムマトリックス複合材料を含むことができる。
【００４７】
鋳造部は、アルミニウムを含むことができる。
【００４８】
鋳造部は、アルミニウム及びアルミニウム合金から選択されたものとすることができる。
【００４９】
保護を求める本発明のさらなる態様では、前述の態様に係る部品を備えるサスペンションシステムが提供される。
【００５０】
保護を求める本発明のさらに別の態様では、前述の態様に係る部品又はサスペンションシステムを備える車両が提供される。
【００５１】
保護を求める本発明の一態様では、前述の態様に係る部品を備える航空機又は船舶が提供される。
【００５２】
保護を求める本発明の一態様では、次の工程を含む、追加部品を取り付けるためのアンカー部を有する部品を形成する方法が提供される：
少なくとも部分的に貫通して形成されたボアを有する金属マトリックス複合管部材を準備し；
鋳造部を有する部品を形成し、ここで、該鋳造部は、該部品がアンカー部を備えるように鋳造され、該アンカー部は管部材を備え、該管部材は該鋳造部によって保持され、該アンカー部は、第２部品を該管部材のボアに挿入し、それによってアンカー部に該第２部品を固定するように配置される。
【００５３】
保護を求める本発明のさらなる態様では、追加部品を取り付けるためのアンカー部を有する部品を形成する方法が提供され、該方法は、
鋳造操作を実行して該部品の少なくとも一部を形成することを含み、該アンカー部は、鋳造部及び該鋳造部によって保持される少なくとも１個の実質的に細長い金属マトリックス複合補強部材の少なくとも一部を備え、該アンカー部はボアを有し、該補強部材は、該ボアの長手方向軸に略平行な又はそれに一致する長手方向軸を有し、該アンカー部は、第２部品を該ボアに挿入して該第２部品を該アンカー部に取り付けるのを可能にするように配置される。
【００５４】
補強部材は、ロッド、ストリップ、バー又は金属マトリックス複合材料の他の形を含むことができる。
【００５５】
ここで説明する任意の態様を含めた本発明の実施形態で使用される金属マトリックス複合材料は、所定の長さの繊維、任意に織布繊維の形態であってよい。
【００５６】
本願の範囲内で、前段落、請求の範囲及び／又は以下の説明及び図面に示される様々な態様、実施形態、実施例、特徴及び選択肢は、独立して又は任意の組み合わせで得られることが予想される。一実施形態に関連して説明した特徴は、このような特徴が矛盾しない限り、全ての実施形態に適用可能である。
【００５７】
誤解を避けるために、本発明の一態様に関して説明される特徴は、本発明の任意の他の態様内に、単独で又は１以上の他の特徴と適宜組み合わせて包含され得ると理解すべきである。
【００５８】
本願の範囲内で、前段落、請求の範囲及び／又は以下の説明及び図面に示される様々な態様、実施形態、実施例及び選択肢、特にその個々の特徴は、独立して又は任意の組み合わせで得られることが明示的に意図される。一実施形態に関連して説明した特徴は、このような特徴が矛盾しない限り、全ての実施形態に適用可能である。
【００５９】
ここで、本発明の１以上の実施形態を、添付の図面において単に例示として示される実施形態を参照しながら、単なる例示として説明する。
【図面の簡単な説明】
【００６０】
【図１】図１は、（ａ）部品の半径を低減させることができるスチールインサートを有しないアルミニウムロッド端部にあるクランプジョイント及び（ｂ）スチールインサートを有するアルミニウムロッド端部を示す公知の部品の概略図である。
【図２】図２は、本発明の実施形態に係るアルミニウムロッド端部の概略図である。
【図３】図３は、内部に設けられた軸受ハウジングを有する本発明の実施形態に係る鋳造アルミニウム部品の概略図である。
【発明を実施するための形態】
【００６１】
詳細な説明
図１（ａ）は、公知の鋳造アルミニウム部品１００の端部１００Ｅ又はアルミニウムロッド端部又はクランプジョイントを示す。この端部１００Ｅは、固定部材用のアンカー部を設けるために、部品１００のロッド部１００Ｒに対して拡大されている。示した実施形態では、端部１００Ｅにはボア１１０Ｂが形成され、これを通してボルト１３０Ｂが通されて第２部品１９０が部品１００に固定されている。ボルト１３０Ｂの自由端部にはナット１３０Ｎがネジ締結されて圧縮荷重が加えられ、第２部品１９０を部品１００の端部１００Ｅと当接させて第２部品をそれに固定している。端部１００Ｅは、ボア１１０Ｂの中心線を基準にした半径Ｒ１を有する。
【００６２】
Ｒ１の値は、ボルト１３０Ｂによって端部１００Ｅに作用する限界荷重に耐えるのに十分に強い端部１００Ｅとなるように選択される。アルミニウムの半径Ｒ１は、鋳造アルミニウムの低い圧縮強度のため、締め付け荷重に耐えることが要求される。
【００６３】
図１（ｂ）は、さらに公知の鋳造アルミニウム部品２００の端部２００Ｅ又はアルミニウムロッド端部又はクランプジョイントを示す。図１（ａ）の構成の特徴と同様の特等を１００だけ増えた同様の符号で示している。端部２００Ｅは、それぞれの端部に、所定の長さの中空スチール管開口の形のスチールインサート又はブッシュ２２０を備える。インサート２２０は、締まり嵌めによって端部２００Ｅ内に保持され、端部２００Ｅに追加の強度を与えている。スチールの強度特性はアルミニウムのそれよりも大きい。そのため、端部の半径は、スチールインサート２２０を使用する場合には値Ｒ２＜Ｒ１に減少できる。
【００６４】
ロッド２００を製造するにあたって、インサート２２０が設けられるボア２１０Ｂを形成し、そしてボア２１０Ｂ内のインサート２２０のために比較的きつい締まり嵌めを与えるためには精密機械加工が必要であると理解すべきである。アルミニウム端部２００Ｅは、この端部２００Ｅを、端部２００Ｅ内でのインサート２２０の締り嵌めに関連するバースト負荷に耐えるようにするのに十分な直径のものでなければならない。
【００６５】
図１（ｂ）のクランプロッド端部を製造するためには高価な機械加工及び組立プロセスが必要である。というのは、スチールインサート又はブッシュは、アルミロッド先端部内における締まり嵌めでなければならないからである。いくつかの例では、半径Ｒ２は、締り嵌めスチールブッシュからのバースト負荷に耐えるように選択される。
【００６６】
図２は、本発明の実施形態に係る鋳造アルミニウムロッド３００Ｒの端部３００Ｅを示す。図１（ｂ）の構成の特徴と同様の図２の特徴は、１００ずつ増やした同様の符合で示されている。端部３００Ｅは、アルミニウムマトリックス複合材（ＡＭＣ）から形成された中空管の形のインサート部材３２０を有する。ＡＭＣは、インサート部材３２０を形成させるためにアルミニウムを含浸させたアルミナ繊維を含む。インサート部材３２０は、繊維プリフォームを、該プリフォームに溶融アルミニウムを含浸させる前に形成させるように、アルミナ繊維をインサート部材に巻き付けることによって製造できる。本発明の実施形態に係る例では、ＡＭＣは粒子強化材を含むことができる。このようなＡＭＣ材料は、アルミニウム母材内において特定の体積分率で均一に分散した粒子を含む。また、他の構成も有用である。例えば、他の種類繊維及び複合構造体を形成する他の方法も有用である。インサート部材３２０のＡＭＣは、端部３００Ｅの残部のアルミニウムよりも高い強度特性を有する。
【００６７】
続いて、インサート部材３２０を金型内に挿入し、この金型内においてその後ロッド３００Ｒが鋳造される。それによって、インサート部材３２０は、ロッド３００Ｒの端部３００Ｅに注型された状態になる。
【００６８】
インサート部材３２０は、端部３００Ｅにキャストされるため、端部３００Ｅに含まれるアルミニウムと、ロッド３００Ｒが鋳造されたときに金型に注ぎ込まれるアルミニウムとの緊密な結合及び／又は混合によって端部３００Ｅ内に保持されると理解すべきである。したがって、端部３００Ｅは、スチールインサート部材２２０を使用する図１（ｂ）の公知の構成の場合と同様に、インサート部材３２０の締まり嵌めによるかなりのバースト応力に耐える必要はない。したがって、端部３００Ｅの半径は、図１の構造と比較して小さくすることができる。インサート部材３２０はアルミニウムを含むので、インサート部材を使用する既知の構成に関連する腐食及び熱膨張差などの異種金属間の接触に起因する問題を実質的に低減又は排除できると理解すべきである。
【００６９】
インサート部材３２０のＡＭＣ材料は、鋳造端部のアルミニウムよりも高い強度特性を有する。本発明の実施形態に係る例では、このものは、断面及び質量の減少を可能にするボルト締め接合境界面での局部的な強度特性を改善させると同時に、様々な締め付け戦略の下でロバスト性の増大のためにより高いボルトプリロードを可能にする強度特性を達成する。
【００７０】
図２の実施形態では、インサート部材３２０の内面は、鋳造操作の際に鋳造材料で被覆された状態にはならない。いくつかの別の実施形態では、インサート部材の内面は、鋳造材料で被覆されるように構成できる。
【００７１】
本発明の実施形態は、鋳造アルミニウム部品に、追加の部品を固定することができ、公知のアンカー部よりも高い限界荷重に耐えることができるアンカー部を設けることができるという利点を有する。
【００７２】
締め付け荷重に耐えるのに必要なアルミニウムロッド端部の半径Ｒ３は、ＡＭＣインサート又は補強材の高い圧縮強度のため、小さくできる。
【００７３】
図３は、本発明の実施形態に係る部品４００を（ａ）横断面図及び（ｂ）正面図で示す。部品４００は、鋳造アルミニウム軸受ハウジング４００の形である。部品４００は、アルミニウムマトリックス複合（ＡＭＣ）材料から形成された管状インサート部材４２０を備えるように鋳造された鋳造本体部４００Ｂを有する。図３（及び図２）の実施形態では、インサート部材４２０は円筒形である。図３の実施形態では、インサート部材４２０は、本体部分４００Ｂ内に完全に埋設されており、部品４００が鋳造されたときにアルミニウム金属によって実質的に完全に取り囲まれる。軸受支持部４０１は、部品４００の鋳造中にインサート部材４２０内にキャストされる。支持部４０１は、軸受アセンブリ４３０Ｂを保持することができる手段を提供する。軸受支持部４０１は、部品４００の本体部４００Ｂを介して形成されたボア４１０Ｂ内に設けられる。インサート部材４２０はボア４１０Ｂと同軸に配置され、ボア４１０Ｂはインサート部材４２０を貫通する。
【００７４】
インサート部材４２０のボア内にある本体部４００Ｂの一部は、軸受支持部４０１を画定ように成形される。軸受支持部４０１は階段状の直径を有し、これにより、軸受アセンブリ４３０Ｂが当接して配置できる肩部４１０Ｓが得られる。肩部４１０Ｓは、アセンブリ４３０Ｂが肩部４１０Ｓを超えて軸方向に摺動するのを防止するのに役立つ。
【００７５】
軸受アセンブリ４３０Ｂは、締り嵌めによってハウジングのボア４１０Ｂ内に保持されるが、軸受アセンブリ４３０Ｂを保持するための他の配置も有用である。インサート部材４２０の存在は、部品４００に追加的な強度を与え、バースト負荷又はフープ応力の形の軸受アセンブリ４３０Ｂの締まり嵌めに関連する応力に耐えることを可能にする。
【００７６】
軸受アセンブリ４３０Ｂは、シャフト４４０を保持し、本体部４００Ｂに対するシャフト４４０の回転を可能にするように構成される。
【００７７】
本体部４００Ｂは、部品４００を構造体に取り付けるのを可能にするために本体部４００Ｂの正反対の位置で本体部４００Ｂから半径方向外側に突出する一対の取り付けフランジ４００Ｆを有する。フランジ４００Ｆには、固定手段によって部品４００を構造体に取り付けるのを容易にするように、それを貫通する開口部４００ＦＡが設けられている。
【００７８】
図３の部品４００は、軸受アセンブリ４３０Ｂが公知の部品と比較して減少したサイズを有する部品内に確実に保持されていると理解すべきである。これは、管又は円筒の形のＡＭＣインサート部材４２０が部品４００を補強するために設けられ、インサート部材４２０が半径方向のバースト負荷及びフープ応力に耐えることができるためである。
【００７９】
インサート部材３２０、４２０は、円形、四角形、五角形、六角形などの任意の好適な断面形状又は他の任意の好適な形状のものとすることができると理解すべきである。また、他の構成も有用である。
【００８０】
本発明の実施形態は、鋳造部品のアンカー部を強化し、それによって、中に開口を有する補強部材をこの部品内に埋設することでさらに小型化することを可能にする。この補強部材は、部品内に形成されたボアの少なくとも一部を取り囲むように配置される。
【００８１】
補強部材は、部品が耐えることのできる、補強部材の円筒軸に対して平行に加えられる限界荷重の量を増加させるように構成できる。それに加えて又はその代わりに、補強部材は、部品が耐えることのできるバースト負荷又はフープ応力の量を増加させるように構成できる。
【００８２】
アルミニウムマトリックス複合材料以外の金属マトリックス複合材料も有用であると理解すべきである。同様に、例えば、アルミニウム合金、マグネシウム合金、アルミニウムマグネシウム合金並びに他の金属及び合金といったアルミニウム以外の金属も有用である。
【００８３】
本明細書の説明及び特許請求の範囲を通して、用語「備える」及び「含む」並びにそれらの用語の変形、例えば「備えること」及び「備え」は、「挙げられるが、これらに限定されない」ことを意味し、他の部分、付加物、部品、整数又はステップを排除することを意図するものではない（及び排除しない）。
【００８４】
特に断りのない限り、本明細書の説明及び特許請求の範囲を通して、単数形は複数形を包含する。特に、不定冠詞が使用される場合には、明細書は、特に断りのない限り、単数のみならず複数を意図すると解すべきである。
【００８５】
本発明の特定の態様、実施形態又は例と共に説明した特徴、整数、特性、化合物、化学的部分又は基は、それと矛盾しない限り、ここで記載する任意の他の態様、実施形態又は例に適用可能であると解すべきである。
【符号の説明】
【００８６】
１００  鋳造アルミニウム部品
１００Ｅ  端部
１００Ｒ  ロッド部
１３０Ｂ  ボルト
１９０  第２部品
２００  鋳造アルミニウム部品
２００Ｅ  端部
２１０Ｂ  ボア
２２０  スチールインサート
３００Ｒ  鋳造アルミニウムロッド
３００Ｅ  端部
３２０  インサート部材
４００  部品
４００Ｂ  鋳造本体部
４０１  軸受支持部
４１０Ｂ  ボア
４１０Ｓ  肩部
４２０  インサート部材
４３０  軸受アセンブリ
４４０  シャフト
【図１】
0006271578.tif 000002
【図２】
0006271578.tif 000003
【図３（ａ）】
0006271578.tif 000004
【図３（ｂ）】
0006271578.tif 000005